(57)【要約】【課題】内容液の粘度が高い場合でも、内容液の計量を安定的に行うことができると共に、使用者が高齢者や未就学者の場合でも、目盛の識別による計量を正確に行うことのできる目盛付き液体用容器を提供する。【解決手段】内容液の残量を容器外部より観察可能な目盛部１０が設けられた目盛付き液体用容器１であって、目盛部１０は、容器本体２の胴部２０の透明又は半透明な部位に、縦方向に延設して設けられており、目盛部１０は、当該目盛部１０を縦方向に等間隔に区画する複数の主計量目盛ライン１１と、一対の主計量目盛ライン１１によって挟まれる副目盛領域１２に配設される、複数の目盛図形１３による目盛群１４とを含んで形成されており、目盛群１４を構成する目盛図形１３は、一種又は二種の同種類の複数の図形からなり、副目盛領域１２において、同種類の複数の図形が、異なる大きさ又は数又は濃淡で配設されている。【選択図】図１
2015042561.tif 000002
【特許請求の範囲】
【請求項１】
内容液の残量を容器外部より観察可能な目盛部が設けられた目盛付き液体用容器であって、
前記目盛部は、容器本体の胴部の透明又は半透明な部位に、縦方向に延びるように設けられており、
前記目盛部は、当該目盛部を縦方向に区画する、相互に平行な複数の主計量目盛ラインと、一対の該主計量目盛ラインによって挟まれる複数の副目盛領域に設けられる、複数の目盛図形による目盛群とを含んで形成されており、
該目盛群を構成する目盛図形は、一種類又は二種類の同種類の複数の図形からなり、前記副目盛領域において、前記同種類の複数の図形が、異なる大きさ又は数又は濃淡で配設されているか、或いは、前記一種類又は二種類の同種類の複数の図形からなる同様の配設パターンの目盛群が、隣接する前記副目盛領域において、大きさ又は数又は濃淡が異なった状態で配設されている目盛付き液体用容器。
【請求項２】
前記目盛群を構成する一種類又は二種類の同種類の複数の図形は、前記副目盛領域を区画する一方の主計量目盛ラインから他方の主計量目盛ラインに向けて、大きさが順次大きくなるか、又は数が順次増えるように配設されている請求項１記載の目盛付き液体用容器。
【請求項３】
前記目盛群は、３〜５個の図形で構成されている請求項１又は２記載の目盛付き液体用容器。
【請求項４】
前記目盛群を構成する一種類又は二種類の同種類の複数の図形は、前記副目盛領域に、内体積を等分するようにピッチが調整されて配設されている請求項１〜３のいずれか１項記載の目盛付き液体用容器。
【請求項５】
前記目盛群を構成する一種類又は二種類の同種類の複数の図形は、前記容器本体を正立状態で置いた時の内容液の液面に対して、斜行する線上に並んで配設されている請求項１〜４のいずれか１項記載の目盛付き液体用容器。
【請求項６】
前記目盛群を構成する一種類又は二種類の同種類の複数の図形は、相似形の図形である請求項１〜５のいずれか１項記載の目盛付き液体用容器。
【請求項７】
前記目盛群を構成する一種類又は二種類の同種類の複数の図形の内部に、１桁の数字が記載されている請求項１〜６のいずれか１項記載の目盛付き液体用容器。
【請求項８】
前記目盛部は、相互に平行な複数の前記主計量目盛ラインによって、等間隔に区画されている請求項１〜７のいずれか１項記載の目盛付き液体用容器。
【請求項９】
スクイズ変形可能なプラスチックからなる容器本体を備え、該容器本体の所定の位置を変形が止まるまでスクイズ変形させることで、所定量の内容液を吐出させる定量吐出スクイズ容器であって、
前記容器本体の上端部又は下端部の透明又は半透明な部位に、内容液の残量を容器外部より観察可能な目盛部が設けられており、
該目盛部は、当該目盛部を縦方向に区画する相互に平行な一対の主計量目盛ラインと、該一対の主計量目盛ラインによって挟まれる副目盛領域に設けられる、複数の目盛図形による目盛群とを含んで形成されており、
該目盛群を構成する目盛図形は、一種類又は二種類の同種類の複数の図形からなり、前記副目盛領域において、前記同種類の複数の図形が、異なる大きさ又は数又は濃淡で配設されている定量吐出スクイズ容器。
【請求項１０】
前記容器本体の少なくとも一部に、スクイズ操作を行うスクイズ操作部が設けられており、該スクイズ操作部は、鈍角で交差する２面に沿って配置される一対の斜面部を含む山形状断面を有する圧搾面部と、該圧搾面部の山形状断面の裾部と稜線部を介して一体として接合される、円弧状断面又は∪字状断面を有する圧搾支持部とからなる横断面形状を有しており、前記圧搾面部の山形状断面の頂部における前記所定の位置に指を押し当てて圧搾してスクイズ変形させた際に、前記一対の斜面部が交差角度を拡げるように変形しながら、両側の山形状断面の裾部の間隔を前記円弧状断面又はＵ字状断面の圧搾支持部との前記稜線部において押し拡げると共に、押し拡げる力が無くなるまで前記斜面部が変形した後、前記圧搾面部は谷形状に反転しないように規制されて、前記所定の位置に指を押し当てて繰り返し行われるスクイズ操作による前記容器本体のスクイズ変形量にバラツキが生じないようにした請求項９記載の定量吐出スクイズ容器。
【請求項１１】
前記圧搾面部の山形状断面の頂部は、前記一対の斜面部が接合するスクイズ稜線部となっている請求項１０記載の定量吐出スクイズ容器。
【請求項１２】
前記圧搾面部の山形状断面の頂部は、前記一対の斜面部の間に介在する平坦なスクイズ面部となっている請求項１０記載の定量吐出スクイズ容器。
【請求項１３】
前記容器本体は、前記スクイズ操作部の上方に連続する、前記スクイズ操作部とは異なる断面形状を有する上胴部と、前記スクイズ操作部の下方に連続する、前記スクイズ操作部とは異なる断面形状を有する下胴部とを含んで形成されている請求項１０〜１２のいずれか１項記載の定量吐出スクイズ容器。
【請求項１４】
前記目盛部は、当該目盛部が表示されたシュリンクラベルを前記容器本体に装着することによって設けられている請求項９〜１３のいずれか１項記載の定量吐出スクイズ容器。
【請求項１５】
前記目盛部は、該容器本体を押圧してスクイズ変形させる前記所定の位置から、周方向に９０°離れた部分までの領域内に設けられている請求項９〜１４のいずれか１項記載の定量吐出スクイズ容器。
【請求項１６】
前記目盛部の前記副目盛領域に配設された前記目盛群の複数の目盛図形は、前記容器本体の所定の位置をスクイズ変形させて内容液が吐出する所定量の１〜４倍の吐出量に対応させた中心間ピッチで配設されている請求項９〜１５のいずれか１項記載の定量吐出スクイズ容器。
【請求項１７】
前記目盛部の前記副目盛領域に配設された前記目盛群の複数の目盛図形や、或いはこれらの目盛図形に隣接する部分に、当該目盛図形に至る吐出量に対応するスクイズ操作の回数の数字が記載されている請求項９〜１６のいずれか１項記載の定量吐出スクイズ容器。
【請求項１８】
前記副目盛領域の表示が、前記一対の主計量目盛ラインの間に、一種類又は二種類の同種類の複数の図形として、２〜４個の記号、数字、文字、柄、又はイラストが配置されている請求項９〜１７のいずれか１項記載の定量吐出スクイズ容器。
【請求項１９】
前記一対の主計量目盛ラインの間に配置された一種類又は二種類の同種類の複数の図形は、一方の主計量目盛ラインから他方の主計量目盛ラインに向かって、大きさ又は数又は濃淡が単調に変化している請求項１８項記載の定量吐出スクイズ容器。
【発明の詳細な説明】
【技術分野】
【０００１】
本発明は、目盛付き液体用容器に関する発明である。
【背景技術】
【０００２】
ハウスホールド、パーソナルケアの液体等の製品は、内容液の注出に際し、目盛部を用いて注出量の計量を行うラベル付液体用容器を用いたものがある。この場合、注出前に、注出口を上方にした状態で内容液の液面を静止状態とした後に目盛部を用いて内容液の量を計量し、容器を傾け内容物の注出を行った後に、再び注出口を上方にした状態で、内容液の量を再計量し、注出前後の注出量を決める。
【０００３】
目盛部の読み込みは、瞬時に行う場合が多く、また読み込み方法には個人差があった為、正確な計量を行うことが困難であった。例えば、使用者が高齢者や未就学者の場合、目盛の読み込みが難しく、正確な計量を行うことが困難であった。また位置合わせを行うことが難しく、かつ、線の位置を覚えておくことが難しかった。
【０００４】
また、容器本体に目盛部が形成されている場合、使用者は、この目盛部を目安にして、任意の量の内容液を注出する。例えば、注出口を上方に向けた姿勢（正立状態）で、内容液の残量を目盛部で確認した後、注出口を下方に向けた姿勢（倒立状態）で内容液を注出する。その後、液体用容器を正立状態に戻し、内容液の残量を目盛部で確認し、内容液の注出前後における残量の差から注出量を算出する。あるいは、倒立状態で、注出する前の内容液の残量を目盛部で確認した後、内容液の残量を目盛部で確認しながら内容液を注出する。多くの場合、目盛部の数字は、正立状態で読み取れるように形成されている。このため、注出口を下方に向けながら目盛部の数字を読み取るのは、煩雑であった。
【０００５】
一方、これまでの開示技術として、注出前に、注出口を上方にした状態で内容液の液面を静止状態とした後に目盛部を用いて内容液の量を計量し、容器を傾け内容物の注出を行った後に、再び注出口を上方にした状態で、内容液の量を再計量し、注出前後の注出量の読み込みを行う目盛付液体用容器の技術は幾つか開示されていた。例えば、特許文献１の液体用容器では、目盛部が、文字、図形、記号及び色彩のいずれかが相互に異なる３以上の表示を容器本体の高さ方向に並べて形成した表示群として繰り返し形成されている、というものであった。また、熱収縮フィルムに透視部を設けて、内容液を計量する技術も開示されている（例えば、特許文献２参照）。
【先行技術文献】
【特許文献】
【０００６】
【特許文献１】特開２０１２−１８４００６号公報
【特許文献２】実開昭６２−７８６３８号公報
【発明の概要】
【発明が解決しようとする課題】
【０００７】
しかしながら、特許文献１の発明では、文字、図形、記号及び色彩のいずれかが相互に異なる表示が表示群として繰り返し形成されているので、似通った文字、図形、記号及び色彩の場合、識別が困難であった。また、液面のメニスカスが大きい高粘度の内容液では目盛の読込みが困難となり、内容液の計量を安定的に行うことが困難であったり、未就学者では、文字、図形、記号及び色彩をいろいろ変化させても、識別が困難であることが分かった。特に高齢者の場合、瞬時に行う際の識別能力が劣るため、文字、図形、記号及び色彩だけを変化させた表示では、間違いない正確な内容液の計量が行いにくいことが分かった。
【０００８】
本発明は、特に内容液の粘度が高い場合でも、内容液の計量を安定的に行うことができると共に、使用者が高齢者や未就学者の場合でも、目盛の識別による計量を正確に行うことのできる目盛付き液体用容器を提供することを目的とする。
【課題を解決するための手段】
【０００９】
そこで本技術に関する課題を検討したところ、内容液の残量を容器外部より観察可能な目盛部が設けられた目盛付き液体用容器であって、前記目盛部は、容器本体の胴部の透明又は半透明な部位に、縦方向に延びるように設けられており、前記目盛部は、当該目盛部を縦方向に好ましくは等間隔に区画する、相互に平行な複数の主計量目盛ラインと、一対の該主計量目盛ラインによって挟まれる複数の副目盛領域に設けられる、複数の目盛図形による目盛群とを含んで形成されており、該目盛群を構成する目盛図形は、一種類又は二種類の同種類の複数の図形からなり、前記副目盛領域において、前記同種類の複数の図形が、異なる大きさ又は数又は濃淡（線の太さ含む）で配設されているか、或いは、前記一種類又は二種類の同種類の複数の図形からなる同様の配設パターンの目盛群が、隣接する前記副目盛領域において、大きさ又は数又は濃淡が異なった状態で配設されていることで、内容液の粘度が高い場合でも、目盛の識別による内容液の計量を正確に行えることが分かった。
【００１０】
また、本発明は、スクイズ変形可能なプラスチックからなる容器本体を備え、該容器本体の所定の位置を変形が止まるまでスクイズ変形させることで、所定量の内容液を吐出させる定量吐出スクイズ容器である。前記容器本体の上端部又は下端部の透明又は半透明な部位に、内容液の残量を容器外部より観察可能な目盛部が設けられており、該目盛部は、当該目盛部を縦方向に区画する相互に平行な一対の主計量目盛ラインと、該一対の主計量目盛ラインによって挟まれる副目盛領域に設けられる、複数の目盛図形による目盛群とを含んで形成されている。該目盛群を構成する目盛図形は、一種類又は二種類の同種類の複数の図形からなり、前記副目盛領域において、前記同種類の複数の図形が、異なる大きさ又は数又は濃淡で配設されている。
【発明の効果】
【００１１】
本発明の目盛付き液体用容器によれば、特に内容液の粘度が高い場合でも、内容液の計量を安定的に行うことができると共に、使用者が高齢者や未就学者の場合でも、目盛の識別による計量を正確に行うことができる。
【図面の簡単な説明】
【００１２】
【図１】本発明の一実施形態にかかる目盛付き液体用容器の正面図である。
【図２】（ａ）〜（ｈ）は、目盛付き液体用容器の目盛部の他の形態を例示する正面図である。（ａ）〜（ｄ）は、目盛群を構成する目盛図形が、一種類の同種類の複数の図形からなっており、（ｅ）〜（ｈ）は、目盛群を構成する目盛図形が、二種類の同種類の複数の図形からなっている。（ａ）〜（ｈ）の全てが、副目盛領域において、同種類の複数の図形が、異なる大きさで配設されており、（ａ）、（ｃ）、（ｄ）、（ｅ）は、一種類又は二種類の同種類の複数の図形からなる同様の配設パターンの目盛群が、隣接する副目盛領域において、大きさが異なった状態で配設されている。
【図３】目盛付き液体用容器の目盛部のさらに他の形態を例示する正面図である。目盛群を構成する目盛図形は、一種類の同種類の複数の図形からなっており、一種類の同種類の複数の図形からなる同様の配設パターンの目盛群が、隣接する副目盛領域において、大きさが異なった状態で配設されている。
【図４】（ａ）〜（ｄ）は、目盛付き液体用容器の目盛部のさらに他の形態を例示する正面図である。（ａ）は、目盛群を構成する目盛図形が、一種類の同種類の複数の図形からなっており、副目盛領域において、同種類の複数の図形が、異なる大きさで配設されており、各々の図形の内部に、１桁の数字が記載されている。（ｂ）は、目盛群を構成する目盛図形が、一種類の二等辺三角形の複数の図形からなっており、副目盛領域において、同種類の二等辺三角形の複数の図形が、高さを異ならせた大きさで配設されている。（ｃ）は、目盛群を構成する目盛図形が、一種類の円形の複数の図形からなっており、副目盛領域において、同種類の円形の図形が、同心円の数を異ならせた形態で配設されている。（ｄ）は、目盛群を構成する目盛図形が、一種類の円形の同種類の複数の図形からなっており、副目盛領域において、同種類の円形の図形が、着色の濃淡を変化させた形態で配設されている。
【図５】（ａ）〜（ｊ）は、目盛付き液体用容器の目盛部のさらに他の形態を例示する正面図である。（ａ）〜（ｅ）は、目盛群を構成する目盛図形が、一種類の同種類の複数の図形からなっており、副目盛領域において、同種類の複数の図形が、異なる数（例えば半分に切り欠いた状態で表示して０．５を示すものを含む）で配設されている。（ｆ）〜（ｉ）は、目盛群を構成する目盛図形が、一種類の円形の複数の図形からなっており、副目盛領域において、同種類の円形の図形が、同心円の数を異ならせた形態（（ｆ））や、円を描く線の太さを異ならせた形態（（ｇ）、（ｈ）、（ｉ））や、円の大きさを異ならせた形態（（ｈ）、（ｉ））や、着色の濃淡を変化させた形態（（ｉ））や、円の内部に、異なる１桁の数字を記載した形態（（ｈ）、（ｉ））で配設されている。（ｊ）は、目盛群を構成する目盛図形が、近似する二種類の同種類の複数の図形からなっており、副目盛領域において、同種類の円形の図形が、異なる大きさで配設されている。
【図６】（ａ）、（ｂ）は、目盛付き液体用容器の目盛部のさらに他の形態を例示する正面図である。
【図７】目盛付き液体用容器の目盛部のさらに他の形態を例示する正面図である。
【図８】（ａ）、（ｂ）は、目盛付き液体用容器の目盛部のさらに他の形態を説明する説明図である。
【図９】本発明の第２実施形態にかかる定量吐出スクイズ容器の正面図である。
【図１０】本発明の第２実施形態にかかる定量吐出スクイズ容器の容器本体の斜視図である。
【図１１】（ａ）は図１０のＡ−Ａに沿った端面図、（ｂ）は図１０のＢ−Ｂに沿った端面図である。
【図１２】（ａ）、（ｂ）は、本発明の第２実施形態に係る定量吐出スクイズ容器において、スクイズ操作時に容器本体のスクイズ変形量を規制する状況を説明する模式断面図である。
【図１３】（ａ）、（ｂ）は、本発明の他の第２実施形態に係る定量吐出スクイズ容器において、スクイズ操作時に容器本体のスクイズ変形量を規制する状況を説明する模式断面図である。
【図１４】目盛部の他の形態を例示する定量吐出スクイズ容器の正面図である。
【図１５】目盛部のさらに他の形態を例示する定量吐出スクイズ容器の正面図である。
【発明を実施するための形態】
【００１３】
本発明の一実施形態にかかる液体用容器について、以下に図面を参照して説明する。
HYPERLINK "http://www8.ipdl.inpit.go.jp/Tokujitu/tjitemdrwkt.ipdl?N0000=235&N0001=80&N0005=PHDXF1RSLI0yXS1MMHqx&N0500=4JPA%20424184006%20%20%20%20%20%20%20&N0510=TKW94d3KR4oUphP9vKA6&N0552=9&N0553=000003" \t "tjitemdrwkt" 図１に示すように、本実施形態の目盛付き液体用容器１は、内部に内容液を収納する容器本体２と、容器本体２の口頸部２２に嵌合する蓋体（不図示）とを備えるものである。容器本体２は、有底略円筒状の胴部２０と、胴部２０の上端に設けられた有蓋略円筒状の口頸部２２とを備え、口頸部２２の上端面の略中央に注出口２１が形成されたものである。即ち、本実施形態の液体用容器１は、容器本体２を押圧し、その体積を減少させることで内容液を注出する、いわゆるスクイズ容器である。
【００１４】
そして、本実施形態の目盛付き液体用容器１は、内容液の残量を容器外部より観察可能な目盛部１０が設けられたスクイズ容器であって、図１に示すように、目盛部１０は、容器本体２の胴部２０の透明又は半透明な部位に、縦方向に延びるように設けられており、目盛部１０は、当該目盛部１０を縦方向に好ましくは等間隔に区画する、相互に平行な複数の主計量目盛ライン１１と、一対の主計量目盛ライン１１によって挟まれる副目盛領域１２に設けられる、複数の目盛図形１３により構成される目盛群１４とを含んで形成されており、目盛群１４を構成する目盛図形１３は、一種類又は二種類の同種類の複数の図形からなり、１つの副目盛領域１２において、異なる大きさで同種類の複数の図形が上下方向に並んでいるか、或いは、図３に示すように、一種類又は二種類の同種類の複数の図形からなる同様の配設パターンの目盛群１４が、隣接する副目盛領域１２において、大きさが異なった状態で配設されている。
【００１５】
ここで、目盛群１４を構成する目盛図形１３が、一種類又は二種類の同種類の複数の図形からなっていることは、目盛群１４を構成する目盛図形１３が、一見して同種類と判別できる一種類又は二種類の複数の図形からなっていることを意味する。例えば図１の目盛部１０では、目盛群１４を構成する目盛図形１３は、一見して同種類と判別できる円形の、一種類の複数の図形からなっており、例えば図２（ｅ）の目盛部１０では、目盛群１４を構成する目盛図形１３は、一見して同種類と判別できる円形の複数の図形と、一見して同種類と判別できる四角形の複数の図形とによる、二種類の複数の図形からなっている。
【００１６】
本実施形態では、図１に示すように、容器本体２の側面には、内容液の液位を示す目盛部１０が形成されている。目盛部１０は、容器本体２の底部２４から注出口２１に向かって間隔をおいて付された主計量目盛ライン１１と、複数の目盛群１４とを備えている。
【００１７】
また、本実施形態では、目盛群１４を構成する一種類又は二種類の同種類の複数の図形（本実施形態では、一種類の円形の図形）は、副目盛領域１２を区画する一方の主計量目盛ライン１１から他方の主計量目盛ラインに向けて、大きさが順次大きくなるように配設されていると共に、相似形の図形となっている。
【００１８】
さらに、本実施形態では、目盛群１４を構成する一種類又は二種類の同種類の複数の図形（本実施形態では、一種類の円形の図形）は、副目盛領域１２に、等しい中心間ピッチで配設されていると共に、容器本体２の内体積を等分するようにピッチが調整されて配設されており、また容器本体２を正立状態で置いた時の内容液の液面に対して、垂直な線上に並んで配設されている。
【００１９】
さらにまた、本実施形態では、隣接する複数の副目盛領域１２に配設された目盛群１４は、容器本体２を正立状態で置いた時の内容液の液面に対して、垂直な線上に並んで配設されている。
【００２０】
本実施形態では、目盛群１４は、副目盛領域１２を好ましくは５等分割する４本の目盛線１５に対応する位置に配設された４個の目盛図形１３で形成されたものである。本実施形態において、目盛図形１３は、○型（円形）の図形とされている。また、目盛図形１３は、相互に異なる色彩とされていても良い。例えば、一部の目盛図形１３を黒色とし、他の目盛図形１３を青色とし、さらに他の目盛図形１３を赤色とした態様が挙げられる。
【００２１】
ここで目盛群１４は、主計量目盛ライン１１によって区分けされた複数の副目盛領域１２に配設されている。主計量目盛ライン１１の目的は、容器全体２の大まかな容量の区分けを意味し、主計量目盛ライン１１は、画線、印字、容器の凹凸などを使用することができる。主計量目盛ライン１１は、容器本体２のリブを用いても良いし、成形で凹凸形状を付けたものとしても良い。そして主計量目盛ライン１１の間に、図形で表示された表示群が存在する。
【００２２】
容器本体２の材質としては、押圧することにより体積が減少する程度に可撓性を有し、外部から内容液を視認できるものであればよく、例えば、ポリエチレン、ポリエチレンテレフタレート、ポリプロピレン、塩化ビニル、シリコンエラストマー、ウレタン等の樹脂等が挙げられる。
【００２３】
注出口２１の形状は、特に限定されず、用途に応じて決定できる。
注出口２１の口径は、内容液の粘度等を勘案して決定できる。
【００２４】
目盛図形１３は、従来から公知の方法により形成されたものであり、形成方法としては、例えば、シルクスクリーン印刷やタンポ印刷により印刷したり、予め目盛部１０を印刷したシュリンクラベル等のラベルを貼付したりするものを挙げることができる。なお、ラベル以外にも、ほかの方法を用いても形成することができ、例えば成形によって直接ボトルに形成することも可能である。本件は、目盛機能を有するものであれば、ラベルであっても、直接容器本体２に印字、成形されるものであっても使用することができる。ここで、容器全体２は、着色されたものであっても、透明又は半透明いずれであっても良いが、目盛部１０は透明又は半透明であることが好ましい。例えば、容器は色つきの樹脂で成形し、目盛部１０は、透明な樹脂で、二色成形することが考えられる。
【００２５】
目盛線１５は、目盛図形１３と同様に形成できる。
【００２６】
容器本体２に収納される内容液は、特に限定されず、例えば、液体洗浄剤、液体漂白剤、液体柔軟剤、シャンプー、リンス、液体調味料、液体油脂等が挙げられる。
【００２７】
次に、本実施形態の目盛付き液体用容器１の使用方法を説明する。まず、容器本体２を、容器本体２の軸線が鉛直方向と平行で、かつ注出口２１が上方に向いた姿勢（正立状態）とし、内容液の液位を目盛部１０で確認する。この際、使用者は、内容液の残量（例えば、○○ｍＬ等の体積）を記憶するのではなく、内容液の液位を目盛図形１３を参照して記憶する。加えて、副目盛領域１２の複数の目盛図形１３の中から、所望する量を注出した後に至るべき液位を示す目盛図形１３を確認する。この際、複数の目盛図形１３が大きさの異なる図形であるため、使用者は注出後の残量を目盛図形１３を参照して正確に計量することができる。また、使用者が高齢者や未就学者の場合でも、目盛の読み込みを正確に行うことができる。視力や識別能力の衰えがあっても、図形をイメージ的に記憶する能力は、保持することが可能なため、正確な計量を行うことができる。ここで、メスシリンダーなどの従来計量器では、目盛が線であるため特定が困難であったが、本実施形態では、液面のメニスカスが大きい高粘度の内容液でも、図形の大小が異なる目盛図形１３を読み込んで計量を行うため、目盛の読み込みを正確に行うことができる。
【００２８】
更に副目盛領域１２の複数の目盛図形１３の内の任意の目盛と、これに隣接する目盛とは、相互に図形の大きさが異なるため、使用者は注出後の液位を示す目盛を間違えることなく記憶できる。目盛図形１３は、形をイメージできるものであれば、記号や文字であって良い。大きさの異なる図形は、目盛の最も大きい表示と最も小さい表示の大きさの差が１０％以上８０％以下であることが好ましい。
【００２９】
本実施形態によれば、目盛部１０は、目盛部１０を複数の副目盛領域１２に区分けする主計量目盛ライン１１と、隣合う２つの主計量目盛ライン１１の間の副目盛領域１２に配設された、複数の目盛図形１３からなる目盛群１４とによって構成されており、目盛群１４は、１又は２種類の目盛図形１３からなり、同じ種類の目盛図形１３が相似形状で、容器本体２の高さ方向に、配列されているか、或いは、後述する図３に示すように、目盛部１０には、目盛部１０を区分けする主計量目盛ライン１１と、複数の目盛図形１３からなる目盛群１４が複数あり、各目盛群１４は、同じ種類の図形が同じ大きさであり、各目盛群１４同士は、同じ種類の図形が相似形状で、かつ、容器本体２の高さ方向に、配列されていることで、内容液の粘度が高い場合でも間違えることがなく、正確に計量を行うことができる。また、使用者が高齢者や未就学者の場合でも、目盛の読み込みを正確に行うことが可能である。
【００３０】
ここで、同じ種類の図形が相似形状で、容器本体２の高さ方向に配列されているとは、容器本体２の注出口２１から底部２４にかけて、図形の大きさが大きいものから小さいもの、又は小さいものから大きいものに配列されていることである。また、相似形状とは、同一形状は含まない。さらに、各目盛群１４同士は、同じ種類の図形が相似形状で、かつ、容器本体２の高さ方向に、配列されている場合の各目盛群１４同士は、連続する目盛群１４が配列されていることが好ましいが、一つの目盛群１４を除いて、連続する目盛群１４が配列されていても良い。
【００３１】
図２（ａ）〜（ｈ）は、本発明に含まれる目盛付き液体用容器の目盛部１０の他の形態を例示するものである。  図２（ａ）、（ｂ）は、同じ図形で大きさの異なる目盛図形１３が副目盛領域１２内に繰り返されて表示されている。
図２（ｃ）、（ｄ）は、同じ図形で大きさの異なる目盛図形１３が２つの副目盛領域１２内に繰り返されて表示されている。
図２（ｅ）〜（ｈ）は、異なる２種類の図形で、異なる色彩、異なる大きさの目盛図形１３が２つの副目盛領域１２内に繰り返されて表示されている。
【００３２】
目盛図形１３の色彩は、黒色、青色、赤色等、いかなるものであってもよく、無色が含まれていても良い。目盛線１５の色彩も、いかなるものであってもよく、無色が含まれていても良い。
【００３３】
目盛群１４の色彩は、相互に異なるものであっても、全て同じであってもよい。ただし、内容液の注出前後の液位をより容易に記憶させる観点から、目盛群１４は、色彩が相互に異なっていることが好ましが、デザインを複雑にしない観点から同一色であっても良い。
【００３４】
図３は、本発明に含まれる目盛付き液体用容器の目盛部１０のさらに他の形態を例示するものである。図３の目盛部１０では、一対の主計量目盛ライン１１によって挟まれる複数の副目盛領域１２に配設される目盛群１４は、一種類又は二種類(図３では一種類)の同種類の複数の目盛図形１３からなる同様の配設パターンの目盛群１４が、隣接する副目盛領域１２において、大きさが異なった状態で配設されている。
【００３５】
図４（ａ）〜（ｄ）もまた、本発明に含まれる目盛付き液体用容器の目盛部１０のさらに他の形態を例示するものである。図４（ａ）〜（ｄ）に示すように、副目盛領域１２に配設される目盛群１４を構成する一種類又は二種類の同種類の複数の目盛図形１３は、例えば図形の内部に副目盛として１桁の数字を記載したものであっても良く（（ａ）参照）、高さの異なる二等辺三角形の図形であっても良い（（ｂ）参照）。また、同じ大きさの円の内部に、異なる数の同心円を描いたものであっても良く（（ｃ）参照）、同種類の複数の図形を、濃淡の異なる同じ色合いで着色したものであっても良い（（ｄ）参照）。
【００３６】
図５（ａ）〜（ｊ）もまた、本発明に含まれる目盛付き液体用容器の目盛部１０のさらに他の形態を例示するものである。図５（ａ）〜（ｊ）に示すように、副目盛領域１２に配設される目盛群１４を構成する一種類又は二種類の同種類の複数の目盛図形１３として、種々の形態のものを採用することができる。また、副目盛領域１２に配設される目盛群１４を構成する一種類又は二種類の同種類の複数の目盛図形１３は、例えば副目盛領域１２を区画する一方の主計量目盛ライン１１から他方の主計量目盛ライン１１に向けて、数が順次増えるように配設されるものであっても良い（（ａ）、（ｂ）、（ｃ）、（ｄ）、（ｉ）参照）。さらに、図６（ａ）、（ｂ）に示すように、副目盛領域１２に配設される目盛群１４を構成する一種類又は二種類の同種類の複数の目盛図形１３は、容器本体２を正立状態で置いた時の内容液の液面に対して、斜行する線上に並んで配設されるものであっても良い。
【００３７】
図１に示す目盛付き液体用容器１は、容器本体２を備えるものであり、スクイズタイプの容器である。容器本体２の側面には、内容液の液位を示す目盛部１０が形成されている。目盛部１０は、容器本体２の底面２４から注出口２１に向かって間隔をおいて付された複数の主計量目盛ライン１１と目盛図形１３からなる目盛群１４と副目盛領域１２を備えている。
【００３８】
目盛図形１３や主計量目盛ライン１１は、例えば、シルクスクリーン印刷やタンポ印刷により印刷したもの、予め目盛部１０を印刷したシュリンクラベル、インモールドラベル、タックラベル等のラベルを貼付して形成されたもの、容器本体２の側面に形成した凸部又は凹部によるものであってもよい。例えば、図７示すように、容器本体２の側面に形成した凸部又は凹部は、ブローボトルまたはインジェクションブローボトルの金型によって形づくられても良い。また、主計量目盛ライン１１が副目盛領域を囲う枠で置き換えられても良い。目盛群は、３〜５個の図形で構成することができる。
【００３９】
さらに、図８（ａ）に示すように、容器本体２の胴部２０が、例えば円筒形状を有している場合には、容器本体２の目盛部１０が設けられた部分は、横断面積が変化しないため、主計量目盛ライン１１によって目盛部１０を等間隔に区画することで、内容積についても等間隔に区画することができるが、図８（ｂ）に示すように、容器本体２の胴部２０が、例えば上下方向中間部分が細くなるように滑らかに湾曲する筒形状となっている場合には、容器本体２の目盛部１０が設けられた部分は、横断面積が変化するため、主計量目盛ライン１１によって目盛部１０を等間隔に区画しても、内容積について等間隔に区画することができない。この場合には、内容積について等間隔に区画できるように、計量目盛ライン１１によって目盛部１０を、横断面積が大きくなっている胴部２０の上部及び下部の領域で、間隔が狭くなるように調整し、横断面積が小さくなっている胴部２０の中央部分の領域で、間隔が広くなるように調整して区画する。
【００４０】
一方、従来より、スクイズ変形可能なプラスチックからなる容器本体の胴部を手で把持してスクイズ（圧搾）することにより、容器本体をスクイズ変形させて、内容液を吐出口から吐出させるスクイズ容器として、容器本体の所定の位置を変形が止まるまでスクイズ変形させることで、所定量の内容液を吐出させる定量吐出スクイズ容器が知られている。このような定量吐出スクイズ容器は、例えば特開平１０−２５９５０号公報、特許第４０７４２２７号公報、特開２０１０−５８７９４号公報、特開２０１１−１０５３６０号公報、特開２０１１−１２１６０４号公報等に記載されている。
【００４１】
これらの定量吐出スクイズ容器では、容器本体の所定の位置を押圧（圧搾）してスクイズ変形させることで、所定量の内容液を繰り返し吐出させることが可能であるが、これらの定量吐出スクイズ容器の使用者は、特に使用し始めた初期の段階で、所定の位置を圧搾して吐出させた際の内容液の所定の吐出量を正確に把握したり、理解したりすることが難しく、吐出量に不安を抱えたまま定量吐出スクイズ容器を使用し続けている場合がある。また、定量吐出スクイズ容器から計量用のカップやキャップに、内容液をわざわざ移し替えて計量してから、内容液を使用しているようなこともしばしば見受けられる。
【００４２】
これに対して、使用者が定量吐出スクイズ容器を使用し始めた初期の段階で、容器本体の所定の位置を圧搾して吐出させた際の内容液の所定の吐出量を容易に把握したり、理解したりすることができれば、スクイズ操作で所定量の内容液を吐出させる感覚を習得することが可能になって、以後の使用時には、不安を感じることなくスクイズ操作により所定量の内容液を吐出させつづけることが可能になると共に、定量吐出スクイズ容器から計量用のカップやキャップに、内容液をわざわざ移し替える必要もなくなる。
【００４３】
本発明は、使用者が使用し始めた初期の段階で、容器本体の所定の位置を圧搾して吐出させた際の内容液の所定の吐出量を容易に把握したり、理解したりすることのできる定量吐出スクイズ容器を提供することを目的とする。
【００４４】
図９に示す本発明の好ましい第２実施形態に係る定量吐出スクイズ容器５０は、スクイズ変形可能なプラスチックからなる容器本体５１と、容器本体５１の口首部５２に着脱可能に装着されるキャップ部材（図示省略）とからなる。容器本体５１には、好ましくは目盛部６０が表示されたシュリンクラベル６１が装着されている。容器本体５１には、内容液として、例えば衣料用液体洗剤、柔軟剤、漂白剤、食器用洗剤、入浴剤等が収容されている。スクイズ容器５０は、容器本体５１の胴部５３を把持して傾倒又は倒立させた状態で、把持した胴部５３をスクイズ方向Ｘ（図１０参照）にスクイズ（圧搾）することで容器本体５１を変形させることにより、例えばキャップ部材に設けられた吐出口から、内容液を吐出箇所に向けて所定量吐出させることができる。スクイズ容器５０は、例えば胴部５３の所定の位置６２を指で圧搾して繰り返しスクイズ操作した際に、容器本体６１のスクイズ変形量にバラツキが生じないように規制して、内容液を一定量ずつ吐出させる機能を備える。また、スクイズ容器５０は、目盛部６０が設けられていることで、使用者が定量吐出スクイズ容器５０を使用し始めた初期の段階で、容器本体５１の所定の位置６２を圧搾して吐出させた際の内容液の所定の吐出量を、容易に把握したり、理解できるようにする機能を備える。
【００４５】
そして、本第２実施形態の定量吐出スクイズ容器５０は、図９〜図１２に示すように、スクイズ変形可能なプラスチックからなる容器本体５１を備え、容器本体５１の所定の位置６２を変形が止まるまでスクイズ変形させることで、所定量の内容液を吐出させるスクイズ容器である。容器本体５０の上端部（図９参照）又は下端部（図１４参照）の透明又は半透明な部位に、内容液の残量を容器外部より観察可能な目盛部６０が設けられており、この目盛部６０は、図９に示すように、当該目盛部６０を縦方向に区画する相互に平行な一対の主計量目盛ライン６３と、これらの一対の主計量目盛ライン６３によって挟まれる副目盛領域６４に設けられる、複数の目盛図形６５による目盛群６６とを含んで形成されている。目盛群６６を構成する目盛図形６５は、一種類又は二種類の同種類の複数の図形からなり（本第２実施形態では、一種類の円形の図形）、副目盛領域６４において、同種類の複数の図形が、異なる大きさ又は数又は濃淡（本第２実施形態では、異なる大きさ及び濃淡）で配設されている。
【００４６】
また、本第２実施形態では、容器本体５１の少なくとも一部に、スクイズ操作を行うスクイズ操作部５４が設けられている。スクイズ操作部５４は、鈍角で交差する２面に沿って配置される一対の斜面部５５を含む山形状断面を有する圧搾面部５６と、この圧搾面部５６の山形状断面の裾部と稜線部５７を介して一体として接合される、円弧状断面又は∪字状断面を有する圧搾支持部５８とからなる横断面形状を有している。圧搾面部５６の山形状断面の頂部５９における所定の位置６２に指を押し当てて圧搾してスクイズ変形させた際に（図１２（ａ）参照）、一対の斜面部５５が交差角度を拡げるように変形しながら、両側の山形状断面の裾部の間隔を円弧状断面又はＵ字状断面の圧搾支持部５８との稜線部５７において押し拡げると共に、押し拡げる力が無くなるまで斜面部５５が変形した後（図１２（ｂ）参照）、圧搾面部５６は谷形状に反転しないように規制される。これによって、所定の位置６２に指を押し当てて繰り返し行われるスクイズ操作による容器本体１１のスクイズ変形量にバラツキが生じなくなって、内容液を所定量ずつ吐出させることが可能になる。
【００４７】
さらに、本第２実施形態では、スクイズ操作部５４の圧搾面部５６の山形状断面の頂部５９は、一対の斜面部５５が接合するスクイズ稜線部７０となっている。
【００４８】
さらにまた、本第２実施形態では、容器本体５１の胴部５３は、スクイズ操作部５４の上方に連続する、スクイズ操作部５４とは異なる断面形状を有する上胴部５３ａと、スクイズ操作部５４の下方に連続する、スクイズ操作部５４とは異なる断面形状を有する下胴部５３ｂとを含んで形成されている。
【００４９】
本第２実施形態では、容器本体５１は、例えばポリエチレンテレフタレ−ト、ポリプロピレン、高密度ポリエチレン、塩化ビニル等の、スクイズ変形可能なプラスチック容器を形成するのに適した公知の各種の合成樹脂を用いて形成される。容器本体５１は、例えばブロー成形することにより、底部７２と、胴部５３と、肩部７３と、口首部５２とを備える、透明又は半透明な中空のボトル形状の容器として形成される。また、容器本体５１は、上端部分の肩部７３及び口首部７２と、下端部分の底部７２とが胴部５３よりも肉厚に形成されると共に、肩部７３と底部７２は、円形の平面形状を備えるように形成される。これによって、上胴部５３ａの上端部分及び下胴部５３ｂの下端部分の円形の断面形状（図１１（ｂ）参照）を、強固に且つ安定した状態で保持できるようになっている。
【００５０】
そして、本第２実施形態では、肩部７３と底部７２との間に挟まれる胴部５３は、上胴部５３ａと、下胴部５３ｂと、これらの中間部分のスクイズ操作部５４とによって構成される。胴部５３は、肩部７３や底部７２よりも薄肉に形成されており、スクイズ操作部５４の圧搾面部５６は、後述するように、胴部５３を把持した手や指の力によって容易にスクイズ変形することが可能な、可撓性を有する構造となっている。
【００５１】
本第２実施形態では、スクイズ操作部５４は、胴部５３の周方向に延設する上下の環状境界リブ７４ａ，７４ｂによって、上方の円形状断面の上胴部５３ａや下方の円形状断面の下胴部５３ｂから区画される、これらの間に挟まれる部分である。スクイズ操作部５４は、山形状断面を有する圧搾面部５６と円弧状断面又はＵ字状断面を有する圧搾支持部５８とが、稜線部５７を介して一体として成形された形状を備えている（図１１（ａ）参照）。
【００５２】
圧搾面部５６は、鈍角で交差する２面に沿って配置される一対の斜面部５５からなり、これらの斜面部５５が交差する接合部分には、縦方向に延設するスクイズ稜線部７０が、圧搾面部５６の中央部分に配置されて山形状断面の頂部５９として設けられている。また、本第１実施形態では、スクイズ稜線部７０は、滑らかに湾曲する湾曲面として設けられており、これの縦方向中央部分には、指を押し当ててスクイズ操作を行うべき容器本体５１の所定の位置６２を案内するスクイズ位置ガイド部７１が、例えばスクイズ稜線部７０と段差を有する凸部や凹部として設けられている。一対の斜面部５５のスクイズ稜線部７０とは反対側の裾部は、スクイズ稜線部７０と平行に配置されて縦方向に延設する稜線部５７を介して、圧搾支持部５８と接合している。
【００５３】
圧搾支持部５８は、圧搾面部５６と対向してスクイズ操作部５４の背面側に配置される部分であって、相当の保形剛性を備えていることにより、スクイズ操作時に圧搾面部５６に加えられる圧搾力を安定した状態で支持させることができるようになっている。本第２実施形態では、圧搾支持部５８は、半円弧形状を僅かに超える円弧状断面又はＵ字状断面を有しており、保形剛性の大きなその円弧形状によって、例えば胴部５３を把持した手のひらに、圧搾力の反力を効率良く支持させることができるようになっている。
【００５４】
また、本第２実施形態では、円弧状断面又はＵ字状断面を有する圧搾支持部５８に、当該圧搾支持部５８の保形剛性を向上させる剛性補強リブ７５が、周方向に延設して上下方向に間隔をおいて複数設けられている。剛性補強リブ７５によって、圧搾面部５６に圧搾力を負荷した際の反力をさらに効率良く支持させることが可能になる。
【００５５】
そして、本第２実施形態の定量吐出スクイズ容器５０では、容器本体５１をスクイズ変形させて内容液を定量吐出させるには、容器本体５１の胴部５３を把持して容器５０を傾倒又は倒立させた後に、吐出口を吐出箇所に向けた状態で、例えば親指をスクイズ位置ガイド部７１に押し付けて、圧搾面部５６のスクイズ稜線部７０の所定の位置６２に圧搾力を付加する。これによって、図１２（ａ）、（ｂ）に示すように、圧搾支持部５８に圧搾力を支持させつつ、スクイズ位置ガイド部７１に近接する部分のスクイズ稜線部７０がスクイズ方向Ｘに押し込まれると共に、スクイズ位置ガイド部７１に近接する部分の一対の斜面部５５が、これらの交差角度を拡げるように変形しながら、圧搾支持部５８との接合部分である、両側の裾部の稜線部５７間の間隔を押し拡げていく。これに伴って、圧搾面部５６の山形状断面が平坦になるように押し潰されて、容器本体５１の容量が減少するので、この容量の減少によって内容液を吐出させることが可能になる。
【００５６】
また、本第２実施形態では、スクイズ位置ガイド部７１に近接する部分の一対の斜面部５５が、スクイズ稜線部７０を挟んで直線状に連設するまで変形すると（図１２（ｂ）の破線参照）、圧搾面部５６の山形状断面が平坦に伸びきった状態となって、一対の斜面部５５は、これ以上稜線部５７間の間隔を押し拡げることができなくなる。この状態から、圧搾面部５６のスクイズ稜線部７０をスクイズ方向Ｘにさらに押し込んで一対の斜面部５５をスクイズ方向Ｘ側に反転させようとしても、圧搾力を負荷されたスクイズ位置ガイド部７１から離れた位置では、未だ一対の斜面部５５が直線状に連設するまで変形していないことから、このスクイズ位置ガイド部７１から離れた部分の一対の斜面部５５による山形状断面の作用によって、指を押し当てたスクイズ位置ガイド部７１に近接する部分の一対の斜面部５５は、スクイズ方向Ｘ側に反転しないように規制される。これによって、例えば親指をスクイズ位置ガイド部７１に押し付けて圧搾力を加えた際には、常に一定の変形量で容器本体５１がスクイズ変形する、すなわち繰り返し行われるスクイズ操作による容器本体５１のスクイズ変形量にバラツキが生じなくなるので、所定量の内容液を容易に定量吐出させることが可能になる。
【００５７】
さらに、本２実施形態では、容器本体５１は、環状境界リブ７４ａを挟んだスクイズ操作部５４の上方には、これと断面形状の異なる円形状断面の上胴部５３ａが、また環状境界リブ７４ｂを挟んだスクイズ操作部５４の下方には、これと断面形状の異なる円形状断面の下胴部５３ｂが、各々一体として連設されている。これらの断面形状の異なる上胴部５３ａや下胴部５３ｂの作用によって、一対の斜面部５５がスクイズ方向側に反転しないように規制されて、所定量の内容液をさらに安定した状態で定量吐出させることが可能になる。
【００５８】
本第２実施形態では、スクイズ操作部５４の圧搾面部５６の山形状断面の頂部５９は、図１３（ａ）、（ｂ）に示すように、一対の斜面部５５の間に介在する平坦なスクイズ面部７６とすることもできる。圧搾面部５６の山形状断面の頂部５９を平坦なスクイズ面部７６とした場合でも、例えば親指をスクイズ位置ガイド部７１による所定の位置６２に押し付けて、スクイズ面部７６に圧搾力を付加すれば、圧搾支持部５８に圧搾力を支持させつつ、スクイズ位置ガイド部７１に近接する部分のスクイズ面部７６がスクイズ方向Ｘに押し込まれると共に、スクイズ位置ガイド部７１に近接する部分の一対の斜面部５５が、これらの交差角度を拡げるように変形しながら、圧搾支持部５８との接合部分である、両側の裾部の稜線部５７間の間隔を押し拡げていく。
【００５９】
また、スクイズ位置ガイド部７１に近接する部分の一対の斜面部５５が、スクイズ面部７６を挟んで直線状に連設するまで変形すると（図１３（ｂ）の破線参照）、圧搾面部５６の山形状断面が平坦に伸びきった状態となって、一対の斜面部５５は、これ以上稜線部５７間の間隔を押し拡げることができなくなる。この状態から、圧搾面部５６のスクイズ面部７６をスクイズ方向Ｘにさらに押し込んで一対の斜面部５５をスクイズ方向Ｘ側に反転させようとしても、圧搾力を負荷されたスクイズ位置ガイド部７１から離れた位置では、未だ一対の斜面部５５が直線状に連設するまで変形していないことから、このスクイズ位置ガイド部７１から離れた部分の一対の斜面部５５による山形状断面の作用によって、指を押し当てたスクイズ位置ガイド部７１に近接する部分の一対の斜面部５５は、スクイズ方向Ｘ側に反転しないように規制される。これによって、例えば親指をスクイズ位置ガイド部７１に押し付けて圧搾力を加えた際には、常に一定の変形量で容器本体５１がスクイズ変形する、すなわち繰り返し行われるスクイズ操作による容器本体５１のスクイズ変形量にバラツキが生じなくなるので、所定量の内容液を容易に定量吐出させることが可能になる。
【００６０】
そして、本第２実施形態の定量吐出スクイズ容器５０では、図９に示すように、容器本体５１に好ましくは目盛部６０が表示されたシュリンクラベル６１が装着されていることにより、透明又は半透明な容器本体５０の、透明又は半透明な部位となっている上端部に、内容液の残量を容器外部より観察可能な目盛部６０が設けられている。
【００６１】
目盛部６０は、上述のように、当該目盛部６０を縦方向に区画する相互に平行な一対の主計量目盛ライン６３と、これらの一対の主計量目盛ライン６３によって挟まれる副目盛領域６４に設けられる、複数の目盛図形６５による目盛群６６とを含んで形成されている。目盛群６６を構成する目盛図形６５は、一種類又は二種類の同種類の複数の図形からなり、副目盛領域６４において、同種類の複数の図形が、異なる大きさ又は数又は濃淡で配設されている。
【００６２】
本第２実施形態では、目盛部６０は、容器本体５１の胴部５３に装着されたシュリンクラベル６１における、胴部５３の高さ方向上端部の略１／４の領域に設けられた、例えば３〜１０ｍｍ程度の幅で縦方向に延設する、外部から容器本体５１の内部を視認可能な縦長帯状の透視部６１ａに、一対の主計量目盛ライン６１と、複数の目盛図形６５による目盛群６６とが描かれていることで形成されている。
【００６３】
外部から容器本体５１の内部を視認可能な目盛部６０が、胴部５３の高さ方向上端部の略１／４の領域のみに、縦長帯状に形成されていることで、シュリンクラベル６１における透視可能な部分を、僅かな領域に留めて、その他の部分の容器本体５１の胴部５３の全体を、シュリンクラベル６１によって覆っておくことが可能になる。これによって、内容液が液体洗剤や柔軟剤などの、露光によって変色、退色、変質等を生じ易いものであっても、これらの内容液の変色、退色、変質等を効果的に抑制することが可能になると共に、目盛部６０が大きくなって容器の外観が損なわれるのを、効果的に回避することが可能になる。
【００６４】
また、本第２実施形態では、副目盛領域６４の目盛群６６を構成する一種類又は二種類の同種類の複数の図形からなる目盛図形６５は、一種類の円形の図形となっており、上下一対の主計量目盛ライン６３の間に、４個配置されている。４個の目盛図形６５は、一方の下方の主計量目盛ライン６３から、他方の上方の主計量目盛ライン６３に向かって、直径が徐々に大きくなるように、その大きさが単調に変化していると共に、一方の下方の主計量目盛ライン６３から、他方の上方の主計量目盛ライン６３に向かって、色合いが徐々に濃くなるように、その濃淡が単調に変化している。４個の目盛図形６５は、円形の中心を同一直線状に配置することなく、千鳥状に配置されて設けられている。
【００６５】
ここで、一対の主計量目盛ライン６１によって挟まれる副目盛領域６４に設けられる目盛群６６を構成する、一種類又は二種類の同種類の複数の目盛図形６５としては、上述の実施形態の目盛付き液体用容器の目盛部１０における、各一対の主計量目盛ライン１１の間の各々の目盛領域１２に配設された目盛群１４を構成する、一種類又は二種類の同種類の複数の目盛図形１３を、適宜選択して採用することができる。すなわち、例えば図１に示すように、目盛群６６を構成する一種類又は二種類の同種類の複数の目盛図形６５は、一種類の円形の図形が、一方の主計量目盛ライン６３から他方の主計量目盛ライン６３に向けて大きさが順次大きくなるように配設されていると共に、相似形の図形となっているものであっても良く、図２（ｅ）〜（ｈ）に示すように、二種類の同種類の複数の図形からなっていても良い。
【００６６】
また、図４（ａ）に示すようには、目盛群６６を構成する目盛図形６５は、一種類の同種類の複数の図形からなっており、副目盛領域６４において、同種類の複数の図形が、異なる大きさで配設されており、各々の図形の内部に、１桁の数字が記載されていても良く、図４（ｂ）に示すように、目盛群６６を構成する目盛図形６５は、一種類の二等辺三角形の複数の図形からなっており、副目盛領６４において、同種類の二等辺三角形の複数の図形が、高さを異ならせた大きさで配設されていても良い。図４（ｃ）に示すように、目盛群６６を構成する目盛図形６５は、一種類の円形の複数の図形からなっており、副目盛領域において、同種類の円形の図形が、同心円の数を異ならせた形態で配設されていても良い。図４（ｄ）に示すように、目盛群６６を構成する目盛図形６５は、一種類の円形の同種類の複数の図形からなっており、副目盛領域において、同種類の円形の図形が、着色の濃淡を変化させた形態で配設されていても良い。
【００６７】
さらに、図５（ａ）〜（ｅ）に示すように、目盛群６６を構成する目盛図形６５は、一種類の同種類の複数の図形からなっており、副目盛領域において、同種類の複数の図形が、異なる数（例えば半分に切り欠いた状態で表示して０．５を示すものを含む）で配設されていても良い。図５（ｆ）〜（ｉ）に示すように、目盛群６６を構成する目盛図形６５は、一種類の円形の複数の図形からなっており、副目盛領域において、同種類の円形の図形が、同心円の数を異ならせた形態（（ｆ））や、円を描く線の太さを異ならせた形態（（ｇ）、（ｈ）、（ｉ））や、円の大きさを異ならせた形態（（ｈ）、（ｉ））や、着色の濃淡を変化させた形態（（ｉ））や、円の内部に、異なる１桁の数字を記載した形態（（ｈ）、（ｉ））で配設されていても良い。図５（ｉ）に示すように、目盛群６６を構成する目盛図形６５は、近似する二種類の同種類の複数の図形からなっており、副目盛領域において、同種類の円形の図形が、異なる大きさで配設されていても良い。
【００６８】
このように、本第２実施形態によれば、副目盛領域６４の表示は、一対の主計量目盛ライン６３の間に、一種類又は二種類の同種類の複数の目盛図形６５として、２〜４個の記号、数字、文字、柄、又はイラストを配置して形成することができる。また、一対の主計量目盛ライン６３の間に配置された一種類又は二種類の同種類の複数の目盛図形６５は、一方の主計量目盛ライン６３から他方の主計量目盛ライン６３に向かって、大きさ又は数又は濃淡が単調に変化していることが好ましい。
【００６９】
本第２実施形態では、図９に示すように、目盛部６０の副目盛領域６４に配設された目盛群６６の複数の目盛図形６５は、好ましくは、容器本体５１の所定の位置６２をスクイズ変形させて内容液が吐出する所定量の、１〜４倍の吐出量に対応させた中心間ピッチで配設されている。すなわち、本第２実施形態では、容器本体５１の所定の位置６２を圧搾してスクイズ操作した際の、１回当たりの吐出量は、例えば５ccとして設定されており、例えば５ccの４倍の２０ccの吐出量に対応させた上下方向の中心間ピッチで、４個の目盛図形６５が配置されている。また本第２実施形態では、各目盛図形６５の中心位置を横断して、一対の主計量目盛ライン６３と平行に延設する、副目盛ライン６７が描かれている。各副目盛ライン６７の下方に隣接して、所定の位置６２をスクイズ変形させて内容液を吐出させた後の残量を把握させる、数値６７ａが描かれている。上方の主計量目盛ライン６３は、定量吐出スクイズ容器５０を使用する前の、内容液が満量となった状態の液面の高さ位置に沿って描かれており、これの下方に隣接して、内容液の満量を示す４００ccの数字が描かれている。
【００７０】
これらによって、本第２実施形態の定量吐出スクイズ容器５０よれば、使用者が使用し始めた初期の段階で、容器本体５１の所定の位置６２を圧搾して吐出させた際の内容液の所定の吐出量を、より正確に把握したり理解したりすることが可能になる。
【００７１】
また、本第２実施形態では、目盛部６０の副目盛領域６４に配設された目盛群６６の複数の目盛図形６５や、或いはこれらの目盛図形６５に隣接する部分に、当該目盛図形６５に至る吐出量に対応するスクイズ操作の回数の数字６８が記載されている。すなわち、本第２実施形態では、各々の目盛図形６３の中心位置に配置された副目盛ライン６７は、内容液の満量を示す上方の主計量目盛ライン６３から、２０ccづつ下がった位置に配置されており、１回当たりの吐出量である５ccの４回分毎のスクイズ操作に対応する位置に設けられていることになる。したがって、本第２実施形態では、目盛図形６５と隣接する部分に、上方の目盛図形６５から順に、４、８、１２、１６といった、目盛図形６５に至る吐出量に対応するスクイズ操作の回数の数字６８が記載されている。
【００７２】
これらによって、本第２実施形態の定量吐出スクイズ容器５０よれば、使用者が使用し始めた初期の段階で、容器本体５１の所定の位置６２を圧搾して吐出させた際の内容液の所定の吐出量を、より効果的に把握したり理解したりすることが可能になる。
【００７３】
さらに、本第２実施形態では、容器本体５１の胴部５３に装着されたシュリンクラベル６１には、スクイズ操作をする際に圧搾すべき所定の位置６２である容器本体１１のスクイズ位置ガイド部７１に重ねて配置されて、圧搾位置を表示する押圧マーク６９が設けられている。押圧マーク６９に例えば親指を当てて圧搾することによって、スクイズ操作をする際に、シュリンクラベル６１の上から、圧搾すべき容器本体１１の所定の位置６２を正確に押圧することが可能になる。
【００７４】
さらにまた、本第２実施形態では、目盛部６０は、押圧マーク６９から周方向に９０°離れた部分までの領域内に設けられている。これによって目盛部６０は、容器本体５１を押圧してスクイズ変形させる所定の位置６２から、周方向に９０°離れた部分までの領域内に設けられていることになる。押圧してスクイズ変形させる所定の位置６２から、周方向に９０°離れた部分までの領域内に目盛部６０が設けられていることにより、スクイズ操作する際に、押圧する所定の位置６２と同じ側の周面に目盛部６０が配置されることになって、目盛部６０を介した内容液の残量の確認を行い易くなる。
【００７５】
そして、上述の構成を備える本第２実施形態の定量吐出スクイズ容器５０によれば、使用者が使用し始めた初期の段階で、容器本体５１の所定の位置６２を圧搾して吐出させた際の内容液の所定の吐出量を容易に把握したり、理解したりすることが可能になる。
【００７６】
すなわち、本第２実施形態によれば、容器本体５０の上端部の透明又は半透明な部位に、内容液の残量を容器外部より観察可能な目盛部６０が設けられており、この目盛部６０は、一対の主計量目盛ライン６３と、これらの一対の主計量目盛ライン６３の間の副目盛領域６４に設けられる、複数の目盛図形６５による目盛群６６とを含んで形成されており、複数の目盛図形６５は、一種類又は二種類の同種類の複数の図形からなり、副目盛領域６４において、同種類の複数の図形が、異なる大きさ又は数又は濃淡で配設されている。
【００７７】
したがって、本第２実施形態によれば、定量吐出スクイズ容器５０を使用し始めた初期の段階で、容器本体５１の所定の位置６２を変形が止まるまでスクイズ変形させることで吐出させた内容液の所定の吐出量を、液面の位置を覚えやすい上述の構成の目盛部６０によって確認することによって、容易に把握したり理解したりすることが可能になると共に、スクイズ操作で所定量の内容液を吐出させる感覚を習得することが可能になって、以後の使用時には、不安を感じることなくスクイズ操作により所定量の内容液を吐出させつづけることが可能になる。
【００７８】
なお、本発明は上記各実施形態に限定されることなく種々の変更が可能である。例えば、容器本体の所定の位置をスクイズ変形させることで所定量の内容液を吐出させる定量吐出スクイズ容器は、上述の第２実施形態のものに限定されることなく、例えば特開平１０−２５９５０号公報、特許第４０７４２２７号公報、特開２０１０−５８７９４号公報、特開２０１１−１０５３６０号公報等に記載されるような、その他の種々の定量吐出スクイズ容器であっても良い。また、目盛群は、シュリンクラベルを容器本体に装着することによって設ける必要は必ずしも無く、予め目盛部を印刷したインモールドラベル、タックラベル等のラベルを用いたり、シルクスクリーン印刷やタンポ印刷等によって印刷して設けることもできる。
【００７９】
さらに、図１４に示すように、目盛部６０は、容器本体５０の下端部に設けることもできる。これによって、定量吐出スクイズ容器５０を使用し始めた初期の段階で、スクイズ操作を行って定量吐出スクイズ容器５０を倒立させたまま、吐出させた内容液の所定の吐出量を確認することが可能になる。また、図１５に示すように、目盛部６０が設けられた透視部６１ａを、容器本体５１の胴部５３の上下方向の全長に亘って設けることもできる。これによって、定量吐出スクイズ容器５０を使用し始めた初期の段階の後も、透視部６１ａを介して液面の位置を視認することが可能になる。
【符号の説明】
【００８０】
１    目盛付き液体用容器
２    容器本体
１０  目盛部
１１  主計量目盛ライン
１２  副目盛領域
１３  目盛図形
１４  目盛群
１５  目盛線
２０  胴部
２１  注出口
２２  口頸部
２４  底部
５０  定量吐出スクイズ容器
５１  容器本体
５３  胴部
５３ａ  上胴部
５３ｂ  下胴部
５４  スクイズ操作部
５５  斜面部
５６  圧搾面部
５７  稜線部
５８  圧搾支持部
５９  山形状断面の頂部
６０  目盛部
６１  シュリンクラベル
６２  所定の位置
６３  主計量目盛ライン
６４  副目盛領域
６５  目盛図形
６６  目盛群
６７  副目盛ライン
６８  回数の数字６
６９  押圧マーク
７０  スクイズ稜線部
７１  スクイズ位置ガイド部
【図１０】
2015042561.tif 000003
【図１１】
2015042561.tif 000004
【図１２】
2015042561.tif 000005
【図１３】
2015042561.tif 000006
【図１】
2015042561.tif 000007
【図２】
2015042561.tif 000008
【図３】
2015042561.tif 000009
【図４】
2015042561.tif 000010
【図５】
2015042561.tif 000011
【図６】
2015042561.tif 000012
【図７】
2015042561.tif 000013
【図８】
2015042561.tif 000014
【図９】
2015042561.tif 000015
【図１４】
2015042561.tif 000016
【図１５】
2015042561.tif 000017